(57)【要約】【課題】光ディスクへのデータ記録時の記録品質を確保し得る光ディスク装置及び記録パワー制御方法を提案する。【解決手段】光ディスクに記録されたデータを再生し、再生したデータに基づいて、振幅の非対象性を表すβ値を取得し、複数回分のβ値に基づいて記録パワーに対するβ値の変化比率の逆数を補正係数として算出すると共に、当該補正係数を用いて補正後の記録パワーを算出し、算出した補正後の記録パワーに基づいて記録パワーを補正するようにした。【選択図】図５
2008077714.tif 000002
【特許請求の範囲】
【請求項１】
光ディスクに対するデータの記録時に、前記光ディスクにおける前記データの記録品質を定期的に評価し、評価結果に基づいて記録パワーを制御する光ディスク装置において、
前記光ディスクに記録された前記データを再生する再生部と、
前記再生部により再生された前記データに基づいて、振幅の非対象性を表すβ値を取得するβ値取得部と、
取得した複数回分の前記β値に基づいて、β値から記録パワーへの変換係数でなる補正係数を算出すると共に、目標とすべき補正後の記録パワーを前記補正係数を用いて算出する目標記録パワー算出部と、
前記目標記録パワー算出部により算出された前記補正後の記録パワーに基づいて前記記録パワーを補正する記録パワー補正部と
を備えることを特徴とする光ディスク装置。
【請求項２】
前記目標記録パワー算出部は、
前記記録パワーに対する前記β値の変化比率の逆数を前記補正係数として算出する
ことを特徴する請求項１に記載の光ディスク装置。
【請求項３】
前記目標記録パワー算出部は、
今回取得した前記β値と、過去に取得した前記β値のうちの当該今回取得したβ値の近傍の前記β値とに基づいて前記補正係数を算出する
ことを特徴とする請求項１に記載の光ディスク装置。
【請求項４】
前記目標記録パワー算出部は、
所定個数の前記β値を取得するまでは、予め設定された所定の補正係数を用いて前記補正後の記録パワーを算出する
ことを特徴とする請求項１に記載の光ディスク装置。
【請求項５】
前記目標記録パワー算出部は、
現在の記録パワーが過去の記録パワーと異なり、かつ、今回得られた前記β値が過去に得られたいずれの前記β値からも所定の誤差範囲を超えているときには、予め設定された所定の補正係数を用いて前記補正後の記録パワーを算出する
ことを特徴とする請求項１に記載の光ディスク装置。
【請求項６】
光ディスクに対するデータの記録時に、前記光ディスクにおける前記データの記録品質を定期的に評価し、評価結果に基づいて記録パワーを制御する記録パワー制御方法において、
前記光ディスクに記録された前記データを再生する第１のステップと、
再生した前記データに基づいて、振幅の非対象性を表すβ値を取得する第２のステップと、
取得した複数回分の前記β値に基づいて、β値から記録パワーへの変換係数でなる補正係数を算出すると共に、目標とすべき補正後の記録パワーを前記補正係数を用いて算出する第３のステップと、
算出し前記補正後の記録パワーに基づいて前記記録パワーを補正する第４のステップと
を備えることを特徴とする記録パワー制御方法。
【請求項７】
前記第３のステップでは、
前記記録パワーに対する前記β値の変化比率の逆数を前記補正係数として算出する
ことを特徴する請求項６に記載の記録パワー制御方法。
【請求項８】
前記第３のステップでは、
今回取得した前記β値と、過去に取得した前記β値のうちの当該今回取得したβ値の近傍の前記β値とに基づいて前記補正係数を算出する
ことを特徴とする請求項６に記載の記録パワー制御方法。
【請求項９】
前記第３のステップでは、
所定個数の前記β値を取得するまでは、予め設定された所定の補正係数を用いて前記補正後の記録パワーを算出する
ことを特徴とする請求項６に記載の記録パワー制御方法。
【請求項１０】
前記第３のステップでは、
現在の記録パワーが過去の記録パワーと異なり、かつ、今回得られた前記β値が過去に得られたいずれの前記β値からも所定の誤差範囲を超えているときには、予め設定された所定の補正係数を用いて前記補正後の記録パワーを算出する
ことを特徴とする請求項６に記載の記録パワー制御方法。
【発明の詳細な説明】
【技術分野】
【０００１】
本発明は、光ディスク装置及び記録パワー制御方法に関し、特に高レーザパワーを必要とする光ディスク装置に適用して好適なものである。
【背景技術】
【０００２】
従来、高速記録に対応した光ディスク装置における記録パワー制御方式として、ウォーキングＯＰＣ（Optimum Power Control）と呼ばれる方式が提案されている（特許文献１及び特許文献２参照）。ウォーキングＯＰＣ方式は、一定間隔ごと又は一定時間ごとに記録を停止して記録終端部を再生すると共に、その記録終端部におけるデータの記録品質を評価し、評価結果に基づいて記録パワーを補正する方式であり、再生互換を保証する高い記録品質を確保できるため、近年では広く用いられている。
【０００３】
ウォーキングＯＰＣ方式では、記録品質の指標として、通常、振幅の非対象性を示すβ値と呼ばれるパラメータが用いられる。そして、ウォーキングＯＰＣ方式では、一定間隔ごと又は一定時間ごとに、予め設定された目標とすべきβ値（以下、適宜、これを目標β値と呼ぶ）と、そのときの記録終端部を再生することにより得られたβ値（以下、適宜、これを測定β値と呼ぶ）とを比較し、これらの差分量に基づいて記録パワーの補正を行なっている。
【０００４】
かかるβ値は、記録パワーの変化に応じてほぼ一様に変化する。このため記録品質の指標としてβ値を用いることによって、ＣＬＶ（Constant Linear Velocity）方式のように常に記録パワーが一定の記録方式の場合は無論のこと、ＣＡＶ（Constant Linear Velocity）方式のように、光ディスクの外周側に向かって記録速度が高速化し、これに伴って記録パワーが増大する記録方式の場合でも、目標β値及び測定β値間の差分量と、記録パワーの補正量との関係を一律とすることができる。
【０００５】
ただし、記録パワーに対するβ値の変化比率は光ディスクの種類ごとに異なる。このため、かかるウォーキングＯＰＣ方式を採用した光ディスク装置では、光ディスクの種類ごとの目標β値をそれぞれ保持しており、そのとき装填されている光ディスクの種類に応じて対応する目標β値を使用するように構築されている。
【０００６】
なお、上記特許文献１では、記録品質の確保を目的とした高速記録時における記録パワー補正の高精度化について、光ディスク装置内のフラッシュメモリにベンダごと及び記録線速度ごとのβ値及び反射率の係数テーブルを格納しておき、試書き時に得られるβ値及び反射率を組み合わせて記録品質の指標とする方法が開示されている。
【０００７】
また上記特許文献２では、試書き時に各記録パワーでのβ値をそれぞれ測定し、所定のβ値近傍におけるβ値の変化量に対する記録パワーの変化量を算出すると共に、スクープ現象や多層記録ディスクの迷光によるβ値への影響を除去したウォーキングＯＰＣ方式が提案されている。
【特許文献１】特開２００５−１１６０２７号公報
【特許文献２】特開２００６−１２０２８１号公報
【発明の開示】
【発明が解決しようとする課題】
【０００８】
ところで、近年、ＢＤ（Blu-ray Disc）、ＤＶＤ（Digital Versatile Disc）及びＣＤ（Compact Disc）の３タイプの光ディスクに対応した光ディスク装置が提案され、このような光ディスク装置において、レーザダイオードから発射された各波長のレーザ光を光ディスクの情報記録面に集光するフォーカスレンズの１レンズ化が進められている。この場合において、かかるフォーカスレンズは、温度によって光の透過率が変化する性質を有する。
【０００９】
一方で、従来から行なわれているＡＰＣ（Auto Power Control）方式による記録パワー制御では、フォーカスレンズ手前におけるレーザ光量をモニタして制御を行なっている。
【００１０】
従って、上述のウォーキングＯＰＣ方式における記録パワーの制御をかかる従来のＡＰＣ方式により行なった場合、フォーカスレンズを透過して光ディスクに集束するレーザ光量が環境温度の影響を受けるため、モニタしているレーザ光量と、実際に光ディクスに入射するレーザ光の光量との間に差異が生じることとなる。この結果として、かかる従来の光ディスク装置では、精度良く記録パワー制御を行い得ず、光ディスクへのデータ記録時の記録品質を確保し得ない問題がある。
【００１１】
本発明は以上の点を考慮してなされたもので、光ディスクへのデータ記録時の記録品質を確保し得る光ディスク装置及び記録パワー制御方法を提案しようとするものである。
【課題を解決するための手段】
【００１２】
かかる課題を解決するため本発明においては、光ディスクに対するデータの記録時に、前記光ディスクにおける前記データの記録品質を定期的に評価し、評価結果に基づいて記録パワーを制御する光ディスク装置において、前記光ディスクに記録された前記データを再生する再生部と、前記再生部により再生された前記データに基づいて、振幅の非対象性を表すβ値を取得するβ値取得部と、取得した複数回分の前記β値に基づいて、β値から記録パワーへの変換係数でなる補正係数を算出すると共に、目標とすべき補正後の記録パワーを前記補正係数を用いて算出する目標記録パワー算出部と、前記目標記録パワー算出部により算出された前記補正後の記録パワーに基づいて前記記録パワーを補正する記録パワー補正部とを備えることを特徴とする。
【００１３】
また本発明においては、光ディスクに対するデータの記録時に、前記光ディスクにおける前記データの記録品質を定期的に評価し、評価結果に基づいて記録パワーを制御する記録パワー制御方法において、前記光ディスクに記録された前記データを再生する第１のステップと、再生した前記データに基づいて、振幅の非対象性を表すβ値を取得する第２のステップと、取得した複数回分の前記β値に基づいて、β値から記録パワーへの変換係数でなる補正係数を算出すると共に、目標とすべき補正後の記録パワーを前記補正係数を用いて算出する第３のステップと、算出し前記補正後の記録パワーに基づいて前記記録パワーを補正する第４のステップとを備えることを特徴とする。
【発明の効果】
【００１４】
本発明によれば、光ディスクへのデータ記録時の記録品質を確保し得る光ディスク装置及び記録パワー制御方法を実現できる。
【発明を実施するための最良の形態】
【００１５】
以下図面について、本発明の一実施の形態を詳述する。
【００１６】
（１）本実施の形態による光ディスク装置の構成
図１は本実施の形態による光ディスク装置１を示す。この光ディスク装置１は、ＢＤ、ＤＶＤ及びＣＤの３タイプの光ディスク２に対応しており、ホストコンピュータ３からの要求に応じて、これら光ディスク２にデータを記録し又はこれら光ディスク２に記録されたデータを再生し得るようになされている。
【００１７】
実際上、この光ディスク装置１においては、ディジタル・シグナル・プロセッサ１２の制御のもとに、モータ駆動部１０がスピンドルモータ１１を駆動することにより、所定状態に装填された光ディスク２を当該光ディスク２の記録方式（例えばＣＡＶ方式又はＣＬＶ方式）に応じた回転状態で回転させる。
【００１８】
また光ディスク装置１においては、ホストコンピュータ部３から送信される各種コマンドがインタフェース部１２を介してマイクロコンピュータ部１３に与えられる。
【００１９】
マイクロコンピュータ部１３は、制御プログラムが格納されたメモリ１３Ａを備えて構成され、ホストコンピュータ３から与えられるコマンドや、ディジタル・シグナル・プロセッサ１４から与えられる各種情報に応じて必要な制御処理や演算処理を実行する。
【００２０】
例えば、マイクロコンピュータ部１３は、ホストコンピュータ３から記録コマンドが与えられた場合には、インタフェース部１２を制御して、この後ホストコンピュータ３から送信される記録対象のデータをディジタル・シグナル・プロセッサ１４に送出させる。
【００２１】
ディジタル・シグナル・プロセッサ１４は、インタフェース部１３を介して与えられる記録対象のデータに対して変調処理を含む所定の信号処理を施し、かくして得られた記録信号を駆動信号としてレーザ駆動部１５に送出する。
【００２２】
レーザ駆動部１５は、ディジタル・シグナル・プロセッサ１４から与えられる駆動信号に基づいて、光ピックアップ１６内の図示しないレーザダイオードを点滅駆動する。この結果、かかる駆動信号（記録信号）の内容に応じた点滅パターン及び当該駆動信号の信号レベルに応じた光量のレーザ光Ｌ１がレーザダイオードから発射され、このレーザ光ＬＩが光ピックアップ１６内の図示しないフォーカスレンズを介して光ディスク２の記録面２Ａに集光される。これにより記録対象のデータが光ディスク２に記録される。
【００２３】
また、かかるレーザ光Ｌ１の光ディスク２における反射光Ｌ２は、光ピックアップ１６内の図示しないフォトディテクタにより光電変換される。また、この光電変換により得られたＲＦ（Radio Frequency）信号がアナログ／ディジタル変換部１７においてディジタル変換されて、ディジタルＲＦ信号としてディジタル・シグナル・プロセッサ１４に与えられる。
【００２４】
ディジタル・シグナル・プロセッサ１４は、供給されるディジタルＲＦ信号に基づいて、フォーカスエラー信号やトラッキングエラー信号及び回転制御信号などの各種制御信号を生成する。かくして、これらフォーカスエラー信号及びトラッキングエラー信号に基づいて光ピックアップ１６内の図示しない２軸アクチュエータが制御され、これによりフォーカス制御やトラッキング制御が行なわれる。また回転制御信号はモータ駆動部１０に与えられ、この回転制御信号に基づいて、モータ駆動部１０によりスピンドルモータ１１の回転制御が行なわれる。
【００２５】
さらに光ピックアップ１６内のレーザダイオードから発射されたレーザ光Ｌ１の一部は、フォーカスレンズに入射する前に分光されて、光ピックアップ１６内の図示しないＡＰＣ制御用のフォトディテクタにより光電変換される。また、この光電変換により得られたＲＦ信号がアナログ／ディジタル変換部１７においてディジタル変換された後にディジタルＲＦ信号としてディジタル・シグナル・プロセッサ１４に与えられる。
【００２６】
かくしてディジタル・シグナル・プロセッサ１４は、このディジタルＲＦ信号に基づいて、記録パワーがＡＰＣ制御用に予め設定された目標とする記録パワー（以下、これを目標記録パワーと呼ぶ）となるように、レーザ駆動部１５に送出する駆動信号の信号レベルを制御する。
【００２７】
一方、マイクロコンピュータ部１３は、インタフェース部１２を介してホストコンピュータ３からの再生コマンドを受信すると、ディジタル・シグナル・プロセッサ１４を制御することにより、所定の制御信号をレーザ駆動部１５に送出させる。
【００２８】
レーザ駆動部１５は、供給される制御信号に基づいて、光ピックアップ１６内のレーザダイオードを所定電圧で点灯駆動する。この結果、このレーザダイオードから所定パワーのレーザ光が発射され、このレーザ光が上述のフォーカスレンズを介して光ディスク２の記録面２Ａに集光される。
【００２９】
このレーザ光Ｌ１の光ディスク２における反射光Ｌ２は、光ピックアップ１６内のかかるフォトディテクタにより光電変換され、かくして得られたＲＦ信号がアナログ／ディジタル変換部１７においてディジタル変換されてディジタルＲＦ信号としてディジタル・シグナル・プロセッサ１４に与えられる。
【００３０】
ディジタル・シグナル・プロセッサ１４は、供給されるディジタルＲＦ信号に対して復調処理等の処理の再生信号処理を施し、かくして得られた再生されたデータをインタフェース部１２を介してホストコンピュータ３に送出する。
【００３１】
またディジタル・シグナル・プロセッサ１４は、データ記録時と同様にして、かかるディジタルＲＦ信号に基づいてフォーカスエラー信号やトラッキングエラー信号及び回転制御信号などの各種制御信号を生成する。かくして、これらフォーカスエラー信号、トラッキングエラー信号及び回転制御信号に基づいて、データ記録時と同様にして、フォーカス制御、トラッキング制御及びスピンドルモータ１１の回転制御が行なわれる。
【００３２】
（２）本実施の形態の光ディスク装置における記録パワー制御方式
次に、かかる光ディスク装置１に採用された記録パワー制御方式について説明する。
【００３３】
ウォーキングＯＰＣ方式では、測定β値を取得しながら記録パワーを制御するため、図２（Ａ）に示すように、データ記録の途中で得られたいくつかの測定β値（β1，β2，……）に基づいて、そのとき使用している光ディスク２における記録パワー（Ｐ1，Ｐ2，……）と測定β値（β1，β2，……）との関係を検出することができる。具体的には、図２（Ｂ）における線分Ｋの傾きである、その光ディスク２における記録パワーに対する測定β値の変化比率を求めることができる。
【００３４】
そこで、本実施の形態による光ディスク装置１においては、記録パワー制御方式としてウォーキングＯＰＣ方式を採用すると共に、当該ウォーキングＯＰＣ方式による記録パワー制御により得られた測定β値とそのときの記録パワーとの関係に基づいて、記録パワーに対する測定β値の変化比率（傾き）Ａを計算する。
【００３５】
そして、光ディスク装置１においては、この変化比率Ａの逆数（１／Ａ）を補正係数として、次式
【数１】
2008077714.tif 000003
のようにして、記録パワーのウォーキングＯＰＣパワーアップレートＲUPを算出し、算出したウォーキングＯＰＣパワーアップレートＲUPを現在の目標記録パワーに乗算するようにして、補正後の新たなＡＰＣ制御の目標記録パワーを算出する。なお、（１）式において、ＲUP′は、前回算出したウォーキングＯＰＣパワーアップレートを示す。
【００３６】
ここで、ウォーキングＯＰＣパワーアップレートＲUPとは、試書きにより補正された、当該補正直後の記録パワー（以下、これを基準記録パワーと呼ぶ）を基準として、その基準記録パワーを増減させる割合をいう。例えば１回目の記録品質を評価したときに得られた補正係数（１／Ａ）が１で、目標β値及び測定β値の差分（目標β値−測定β値）が１のときのウォーキングＯＰＣパワーアップレートＲUPは１〔％〕となる。従って、この場合には、基準記録パワーを１〔％〕だけ増加させた記録パワーが今回の記録パワー（次に記録品質を評価するまでの記録パワー）となる。
【００３７】
光ディスク装置１では、このような記録パワー制御を行なうための手段として、マイクロコンピュータ部１３のメモリ１３Ａに、図３に示すようなストレージテーブル２０が格納されている。
【００３８】
このストレージテーブル２０は、各光ディスク製造会社がそれぞれ販売する各光ディスク２について、記録速度を１倍速、２倍速、４倍速、……にした場合の目標β値及び目標とすべき記録パワー（目標記録パワー）をまとめたテーブルである。
【００３９】
そして光ディスク装置１においては、このストレージテーブル２０に格納された各目標β値のうちのそのとき装填されている光ディスク２の種類と、そのときの記録速度とに応じた目標β値を読み出して、（１）式の演算に用いる。
【００４０】
ただし、フォーカスレンズの温度上昇により当該フォーカスレンズの透過率が変化するなど、環境の変化に起因して記録条件が変化した場合には、図４に示すように、同じ記録パワーで記録しても得られる測定β値が大きく変化する。
【００４１】
そこで、本実施の形態の光ディスク装置１においては、前回と同じ記録パワーで記録を行ったときに得られた測定β値の値が前回得られた測定β値と大きく異なる場合には、このとき得られた測定β値を使用せず、予め定められた固定の補正係数を使用して（１）式により今回のウォーキングＯＰＣパワーアップレートＲUPを算出するようにする。
【００４２】
ここで、本実施の形態による光ディスク装置１の場合、このような記録パワー制御は、マイクロコンピュータ部１３のメモリ１３Ａに格納された制御プログラムに基づいて、当該マイクロコンピュータ部１３の制御のもとに実行される。
【００４３】
図５は、このような記録パワー制御に関するマイクロコンピュータ部１３の処理内容を示すフローチャートである。
【００４４】
マイクロコンピュータ部１３は、ホストコンピュータ３から記録コマンドが与えられると、この図５に示す記録パワー制御処理を開始し（ＳＰ０）、まず、ディジタル・シグナル・プロセッサ１４及び図示しないシークモータを制御するようにして、光ディスク２上の所定領域に試書きを行わせ、そのときのβ値を測定する。そして、このとき得られた測定β値に基づいて記録パワーの補正を行なう（ＳＰ１）。なおこのようなβ値の測定方法及び記録パワーの補正方法については、後述する（ステップＳＰ４及びステップＳＰ１０参照）。
【００４５】
続いてマイクロコンピュータ部１３は、シークモータ及びディジタル・シグナル・プロセッサ１４等を駆動させることにより、記録コマンドに基づき得られる光ディスク２上の記録開始位置にまで光ピックアップ１６を移動させて、その記録開始位置から記録対象のデータの記録を開始させる（ＳＰ２）。
【００４６】
次いでマイクロコンピュータ部１３は、データの記録を開始してから一定時間（又は一定間隔）が経過したか否かを判断し（ＳＰ３）、否定結果を得るとステップＳＰ２に戻って光ディスクへのデータの記録を続けさせる。
【００４７】
そしてマイクロコンピュータ部１３は、やがてデータの記録を開始してから一定時間（又は一定間隔）が経過することによりステップＳＰ３において肯定結果を得ると、そのときのβ値を測定する（ＳＰ４）。
【００４８】
具体的にマイクロコンピュータ部１３は、ディジタル・シグナル・プロセッサ１４及びシークモータ等を制御することにより、光ディスク２に対する記録対象のデータの記録を停止させて記録終端部を再生させる。そして、このとき得られたＲＦ信号が、ディジタル変換部１７を介してディジタル・シグナル・プロセッサ１４に与えられる。
【００４９】
ディジタル・シグナル・プロセッサ１４は、供給されるディジタルＲＦ信号に対して復調処理等の所定の信号処理を施し、かくして得られた再生信号に基づいて、次式
【数２】
2008077714.tif 000004
のようにしてそのときのβ値（測定β値）を算出する。なお、この（２）式において、ａ１は再生信号の最大レベルを示し、ａ２は再生信号の最小レベルを示す。またディジタル・シグナル・プロセッサ１４は、このようにして得られたβ値をマイクロコンピュータ部１３に送出する。
【００５０】
この後、マイクロコンピュータ部１３は、かかるβ値の測定回数が予め定められた規定数回（例えば４〜６回）以上となったか否かを判断する（ＳＰ５）。そしてマイクロコンピュータ部１３は、この判断において否定結果を得ると、予め用意された固定の補正係数（１／Ａ）を使用して（１）式によりウォーキングＯＰＣパワーアップレートＲUPを算出する（ＳＰ９）。
【００５１】
またマイクロコンピュータ部１３は、算出したウォーキングＯＰＣパワーアップレートＲUPを現在の記録パワーに乗算するようにして補正後の記録パワーを算出し、この記録パワーを新たなＡＰＣ制御の目標記録パワーとしてディジタル・シグナル・プロセッサ１４に設定する（ＳＰ１０）。この結果、記録パワーがこの目標記録パワーに一致するように、ディジタル・シグナル・プロセッサ１４によりＡＰＣ制御が行なわれることとなる。
【００５２】
これに対してマイクロコンピュータ部１３は、ステップＳＰ５の判断において肯定結果を得ると、現在の記録パワーが前回β値を測定したときの記録パワーと同じであるか否かを判断する（ＳＰ６）。
【００５３】
マイクロコンピュータ部１３は、この判断において否定結果を得ると、今回取得したβ値が前回取得したβ値と同じ又はほぼ同じであるか否か（例えば数パーセント程度の誤差範囲内に入っているか否か）を判断する（ＳＰ７）。
【００５４】
そしてマイクロコンピュータ部１３は、この判断において否定結果を得ると、上述した固定の補正係数（上述の１／Ａ）を使用して（１）式によりウォーキングＯＰＣパワーアップレートＲUPを算出すると共に（ＳＰ９）、算出したウォーキングＯＰＣパワーアップレートＲUPに基づいて補正後の記録パワーを算出し、これを新たなＡＰＣ制御の目標記録パワーとしてディジタル・シグナル・プロセッサ１４に設定する（ＳＰ１０）。
【００５５】
これに対してマイクロコンピュータ部１３は、ステップＳＰ６又はステップＳＰ７の判断において肯定結果を得ると、現在の環境に最も適した補正係数を得るため、今回取得した測定β値と、前回までに取得した測定β値のうちの今回の測定β値近傍の測定β値とを用いて、記録パワーに対する測定β値の変化比率（図２（Ｂ）の線分Ｋの傾き）Ａの逆数を補正係数として算出する。またマイクロコンピュータ部１３は、この補正係数を用いて（１）式によりウォーキングＯＰＣパワーアップレートＲUPを算出する（ＳＰ８）。
【００５６】
そしてマイクロコンピュータ部１３は、このようにして算出したウォーキングＯＰＣパワーアップレートＲUPに基づいて補正後の記録パワーを算出し、この後これを新たなＡＰＣ制御の目標記録パワーとしてディジタル・シグナル・プロセッサ１４に設定する（ＳＰ１０）。
【００５７】
そしてマイクロコンピュータ部１３は、この後記録対象のデータをすべて光ディスク２に記録し終えたか否かを判断し（ＳＰ１１）、否定結果を得るとステップＳＰ２に戻って、この後同様の処理を繰り返す（ＳＰ２〜ＳＰ１１）。
【００５８】
そしてマイクロコンピュータ部１３は、やがて記録対象のデータのすべてを光ディスク２に記録し終えることによりステップＳＰ１１において肯定結果を得ると、この記録パワー制御処理を終了する（ＳＰ１２）。
【００５９】
（３）本実施の形態の効果
以上のように本実施の形態による光ディスク装置１では、ウォーキングＯＰＣにより得られたβ値に基づいて補正係数を算出し、この補正係数に基づいて記録パワーを補正する。
【００６０】
従って、この光ディスク装置１によれば、対象とする光ディスクの特性や現在の環境に最適な目標記録パワーが設定され、その目標記録パワーとなるように記録パワーが補正されるため、精度の良い記録パワー制御を行なうことができる。かくするにつき、光ディスクへのデータ記録時の記録品質を確保することができる。
【００６１】
また光ディスク装置１では、複数回分の測定β値を取得したうえで、今回取得した測定β値と、この測定β値近傍の測定β値を用いて補正係数を算出するようにしているため、より現在の環境に適合した補正係数を得ることができ、その分、より精度の良い記録パワー制御を行なうことができる。
【００６２】
さらに光ディスク装置１では、現在の記録パワーが過去の記録パワーと異なり、かつ、今回得られた測定β値が過去に得られたいずれの測定β値からも所定の誤差範囲を超えているときには、予め設定された固定の補正係数を用いて記録パワーを補正するようにしているため、急激な環境変化により測定β値が急激に変化したときにも当該測定β値が補正係数の算出に影響を与えることがなく、その分、より精度の良い記録パワー制御を行なうことができる。
【００６３】
（４）他の実施の形態
なお上述の実施の形態においては、本発明をＢＤ、ＤＶＤ及びＣＤの３タイプの光ディスク２に対応した光ディスク装置１に適用するようにした場合について述べたが、本発明はこれに限らず、この他種々の光ディスク装置に広く適用することができる。
【００６４】
また上述の実施の形態においては、今回取得した測定β値と、前回までに取得した測定β値のうちの今回の測定β値近傍の測定β値とを用いて、記録パワーに対する測定β値の変化比率の逆数を補正係数として算出するようにした場合について述べたが、本発明はこれに限らず、今回及び前回までに取得したすべての測定β値を用いて、例えば記録パワーに対する各測定β値の近似直線の傾きの逆数を補正係数として算出するようにしても良く、補正係数の算出手法としては、この他種々の算出手法を広く適用することができる。
【００６５】
さらに上述の実施の形態においては、算出した補正係数を用いて（１）式により記録パワーのウォーキングＯＰＣパワーアップレートＲUPを算出し、このウォーキングＯＰＣパワーアップレートＲUPに基づいて記録パワーを補正するようにした場合について述べたが、本発明はこれに限らず、かかる補正係数を用いた記録パワーの補正方法としては、この他種々の補正方法を広く適用することができる。
【００６６】
さらに上述の実施の形態においては、光ディスク２に記録されたデータを再生する再生部を、光ピックアップ１６、アナログ／ディジタル変換部１７及びディジタル・シグナル・プロセッサ１４により構成し、この再生されたデータに基づいて測定β値を取得するβ値取得部をディジタル・シグナル・プロセッサ１４により構成し、取得した複数回分の測定β値に基づいて記録パワーに対する補正係数を算出すると共に、目標とすべき補正後の記録パワーを当該補正係数を用いて算出する目標記録パワー算出部をマイクロコンピュータ部１３により構成し、さらに算出された補正後の記録パワーに基づいて記録パワーを補正する記録パワー補正部をディジタル・シグナル・プロセッサ１４により構成するようにした場合について述べたが、本発明はこれに限らず、これら再生部、β値取得部、記録パワー算出部及び記録パワー補正部の構成としては、この他種々の構成を広く適用することができる。
【図面の簡単な説明】
【００６７】
【図１】本実施の形態による光ディスク装置の構成を示すブロック図である。
【図２】本実施の形態による光ディスク装置における記録パワー制御方式の説明に供するグラフである。
【図３】ストレージテーブルを示す図表である。
【図４】本実施の形態による光ディスク装置における記録パワー制御方式の説明に供するグラフである。
【図５】マイクロコンピュータ部における記録パワー制御処理の処理手順を示すフローチャートである。
【符号の説明】
【００６８】
１……光ディスク装置、２……光ディスク、３……ホストコンピュータ、１３……マイクロコンピュータ部、１３Ａ……メモリ、１４……ディジタル・シグナル・プロセッサ、１６……光ピックアップ、２０……ストレージテーブル。
【図１】
2008077714.tif 000005
【図２】
2008077714.tif 000006
【図３】
2008077714.tif 000007
【図４】
2008077714.tif 000008
【図５】
2008077714.tif 000009